(57)【要約】【課題】読み取り対象の光の反射率に応じた２次元像を、非接触的かつ機械的に取得すること。【解決手段】２次元のアレイ状に配置されたセンサ内蔵無線タグ１は、光照射部１３と光センサ部１４を有し、照射した光の反射光の入力量を検知してＩＤと検知量を無線タグリーダ２３へ通知する。【選択図】図２
2008242518.tif 000002
【特許請求の範囲】
【請求項１】
２次元のアレイ状に配置された無線タグであって、
光照射部と光センサを有し、
照射した光の反射光の入力量を検知してＩＤと検知量を無線タグリーダへ通知することを特徴とする無線タグ。
【請求項２】
読取装置に前記ＩＤと検知量を組み合わせて２次元像を取得させることを特徴とする請求項１記載の無線タグ。
【請求項３】
アレイ状に配置した無線タグのＩＤからアレイ内のタグの位置を得る手段と、
前記無線タグから得たＩＤと検知量を組み合わせて２次元像を得る手段と
を備えることを特徴とする読取装置。
【請求項４】
前記２次元像は２次元の画像情報であることを特徴とする請求項３記載の読取装置
【請求項５】
アレイ状に配置した無線タグのＩＤからアレイ内のタグの位置を得るステップと、
前記無線タグから得たＩＤと検知量を組み合わせて２次元像を得るステップと
を有することを特徴とする読取方法。
【請求項６】
前記２次元像は２次元の画像情報であることを特徴とする請求項５記載の読取方法。
【発明の詳細な説明】
【技術分野】
【０００１】
本発明は、照射装置の照射対象の反射率に応じた２次元の画像情報を取得、構成する技術に関する。
【背景技術】
【０００２】
近年、センサを内蔵した高機能無線タグの使用例が増加してきている。無線タグをはじめとした無線通信装置と各種センサを組み合わせることで物理量を非接触的に読み取ることは可能である。
【０００３】
ここで、画像形成装置内に搭載される各構成ユニットと構成部品とには、それぞれ、該当する各構成ユニットまたは構成部品の固有情報を記憶した無線タグが付加され、構成情報取得部は、無線タグから無線タグに記憶された各構成ユニットあるいは部品固有の情報を無線通信により受信することにより構成情報を取得し、構成情報管理制御部は、構成情報取得部により取得された構成情報を通信Ｉ／Ｆ部を通じて管理装置に送信することで、画像形成装置の詳細な構成情報を低コスト、省スペースで収集でき、装置を止めずに部品番号等の確認をすることができる技術が提案されている（例えば、特許文献１参照）。
【特許文献１】特開２００６−０９４０２１号公報
【発明の開示】
【発明が解決しようとする課題】
【０００４】
しかしながら、水道の流量計のように法規的に改変が容易ではないものや、その他、コスト面などの制限で非接触読み取りのための改造が困難なメータ類など、人が目で読み取る機器が存在し、その情報の取得には人件費をはじめとするコストを多く要するという問題があった。
【０００５】
本発明は、以上説明した問題点を解決するためになされたものである。その目的は、読み取り対象の光の反射率に応じた２次元像を、非接触的かつ機械的に取得することである。
【課題を解決するための手段】
【０００６】
本発明は、２次元のアレイ状に配置された無線タグであって、
光照射部と光センサを有し、
照射した光の反射光の入力量を検知してＩＤと検知量を無線タグリーダへ通知する無線タグを提供する。
【０００７】
また、本発明は、アレイ状に配置した無線タグのＩＤからアレイ内のタグの位置を得る手段と、
前記無線タグから得たＩＤと検知量を組み合わせて２次元像を得る手段と
を備える読取装置を提供する。
【０００８】
また、本発明は、アレイ状に配置した無線タグのＩＤからアレイ内のタグの位置を得るステップと、
前記無線タグから得たＩＤと検知量を組み合わせて２次元像を得るステップと
を有する読取方法を提供する。
【発明の効果】
【０００９】
本発明によれば、読み取り対象の光の反射率に応じた２次元像を、非接触的かつ機械的に取得することができる。
【発明を実施するための最良の形態】
【００１０】
以下、本発明の第１の実施の形態について図面を参照して詳細に説明する。
【００１１】
図１および図２に第１の実施の形態の構成を示す。図１に示すセンサ内蔵無線タグ(１)は、通信部(１１)・制御部(１２)・光照射部部(１３)・光センサ部(１４)を有する。
【００１２】
本実施の形態では図１に示すセンサ内蔵無線タグ(１)を、図２の２２に示すように読み取り対象(２１)に向けアレイ状に配置する。
【００１３】
読取装置(２)は、無線タグリーダ(２３)・ＩＤ座標変換部(２５)・ＩＤ座標変換情報構成手段(２６)・制御部(２４)・入出力手段(２７)を有する。
【００１４】
図１および図２を用いて第１の実施の形態の動作を説明する。
【００１５】
センサ内蔵無線タグ(１)の光センサ部(１４)は、自らの光照射部(１３)から照射した光の反射光の入力量を検知することができるものとする。
【００１６】
センサ内蔵無線タグの制御部(１２)は無線タグリーダからの読み取り指示を通信部(１１)を介して受け取ると、自らのＩＤと光センサ部の検知量を無線タグリーダへ返答する機能を持つものとする。
【００１７】
ＩＤ座標変換部はあらかじめＩＤ座標変換情報構成手段によって構成された情報(Ｓ０)に基づいて無線タグのＩＤからアレイ状に配置された無線タグ(２２)内の位置を得ることができるものとする。
【００１８】
ＩＤ座標変換情報の構成の方法としてはアレイ状にタグを配置するときに配置とＩＤの対応関係を記録しておき変換テーブルとして持つなどの手法が考えられる。
【００１９】
入出力手段(２７)を介して外部からの読み取り指示(Ｓ１１)を受け取った読取装置(２)は、御部(２４)から無線タグリーダ(２３)に対して読み取り指示を行い(Ｓ２０)、無線タグリーダ(２３)は、レイ状に配置したセンサ内蔵無線タグ(２２)に対して読み取り指示を送信する(Ｓ２１)。
【００２０】
アレイ(２２)内の各無線タグの制御部(１２)は、信部(１１)を介して無線タグリーダからの読み取り指示を受け取り、光照射部(１３)から照射を行い(Ｓ２２)その反射光の入力を光センサ部(１４)で受け取る(Ｓ２３)。
【００２１】
各無線タグの制御部(１２)は、信部(１１)を介して自らのそれぞれのＩＤと光センサ部の検知量を無線タグリーダへ返答する(Ｓ２４)。
【００２２】
無線タグリーダ(２３)は読取装置の制御部(２４)へ各無線タグＩＤとそのＩＤ対応にする無線タグの光センサ検知量を通知する(Ｓ２５)。
【００２３】
読取装置の制御部は無線タグリーダから通知された各無線タグＩＤをＩＤ座標変換部(２５)へ問い合わせて(Ｓ２６)無線タグＩＤに対応する無線タグのアレイ内の位置を得る(Ｓ２７)。
【００２４】
ステップＳ２６で得た無線タグの位置とステップＳ２５で得た光センサ検知量から、読取装置の制御部は読み取り対象の光の反射率に応じた２次元像を得ることができ、その２次元像を入出力手段を介して外部へ返答する(Ｓ１２)。
【００２５】
本実施の形態を説明する図では、アレイ(２２)は３２個の無線タグで構成される図になっているがアレイを構成する無線タグの個数は限定しない。
【００２６】
上記の本実施の形態によれば、読み取り対象の光の反射率に応じた２次元像を、非接触的かつ機械的に取得することが可能となる。
【００２７】
また、読み取り対象の形状に対応してアレイの配置の形状を構成することで、読み取り対象の形状によらず読み取ることができる。
【００２８】
次に、図３および図４に、本発明の第２の実施の形態の構成を示す。図３に示すセンサ内蔵無線タグ(３)は第１の実施の形態を説明する図１で示したセンサ内蔵無線タグ(１)に電源部(３５)を加えたもので、通信部(３１)・制御部(３２)・光照射部部(３３)・光センサ部(３４)へ電源を供給する。その他の部分は第１の実施の形態と同様であるので重複する説明は省略する。
【００２９】
本実施の形態では図３に示すセンサ内蔵無線タグ(３)を、図４の４２に示すように読み取り対象(４１)に向けアレイ状に配置する。読取装置(４)は実施の形態１と同様に無線タグリーダ(４３)・ＩＤ座標変換部(４５)・ＩＤ座標変換情報構成手段(４６)・制御部(４４)・入出力手段(４７)を有する。
【００３０】
以下、図３および図４を用いて第２の実施の形態の動作を説明する。
【００３１】
図３に示すセンサ内蔵無線タグ(３)は、第１の実施の形態のセンサ内蔵無線タグ(１)と同様に光センサ部(３４)は自らの光照射部(３３)から照射した光の反射光の入力量を検知することができるものとする。
【００３２】
センサ内蔵無線タグの制御部(３２)は電源部(３５)の電力を用いて定期的に通信部(３１)を介して自らのＩＤと光センサ部の検知量を無線タグリーダへ通知する機能を持つものとする。
【００３３】
アレイ内の各センサ内蔵無線タグ(３)はそれぞれ定期的に自らのＩＤと光センサ部の検知量を無線タグリーダ(４３)へ通知する(Ｓ４１)。
【００３４】
無線タグリーダ(４３)は各無線タグから通知されたＩＤと光センサ部の検知量を読取装置の制御部(４４)へ通知する(Ｓ４２)。
【００３５】
以降の処理は第１の実施の形態のステップＳ２６と同様にＩＤ座標変換部(４５)から無線タグの位置を得て(Ｓ４５、Ｓ４６)、読取装置の制御部は読み取り対象(４１)の光の反射率に応じた２次元像を得ることができる。
【００３６】
入出力手段(４７)を介して外部からの読み取り指示(Ｓ１１)を受け取った読取装置(４)はその２次元像を入出力手段を介して外部へ返答する(Ｓ１２)。
【００３７】
なお、第１の実施の形態同様、アレイを構成する無線タグの個数は限定しない。
【００３８】
上記の本実施の形態によれば、第１の実施の形態の効果に加えて、無線タグリーダからの読み取り指示の実施が必要なくなるため、無線タグリーダの構成が単純化できる。
【００３９】
また、無線タグと無線タグリーダの間の通信に電源部の電力を利用可能なため、非接触読み取りを実施する際のタグ-リーダ間の距離を第１の実施の形態より大きくすることが可能となる。
【００４０】
また、光照射部の動作に電源部の電力を利用可能なため、光照射の出力を大きくすることが可能であり、読み取り対象と無線タグの距離を大きくとることが可能となる。
【００４１】
なお、上述する実施の形態は、本発明の好適な実施の形態であり、本発明の要旨を逸脱しない範囲内において種々変更実施が可能である。
【図面の簡単な説明】
【００４２】
【図１】本発明の第１の実施の形態の構成を示す図である。
【図２】本発明の第１の実施の形態の動作を示す図である。
【図３】本発明の第２の実施の形態の構成を示す図である。
【図４】本発明の第２の実施の形態の動作を示す図である。
【符号の説明】
【００４３】
１    センサ内蔵無線タグ
２    読取装置
１１    通信部
１２    制御部
１３    光照射部
１４    光センサ部
２３    無線タグリーダ
２４    制御部
２５    ＩＤ座標変換部
２６    ＩＤ座標変換情報構成手段
２７    入出力手段
【図１】
2008242518.tif 000003
【図２】
2008242518.tif 000004
【図３】
2008242518.tif 000005
【図４】
2008242518.tif 000006